【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
入射光に応じて発生した電荷を蓄積して出力する開口画素と、
暗電流を蓄積可能な蓄積領域を有し、遮光されたオプティカルブラック画素と、
電荷を蓄積するための不純物領域を形成しない黒基準画素と、
前記黒基準画素の出力信号を、前記開口画素及び前記オプティカルブラック画素の出力信号に近づく方向にシフトさせるレベルシフト手段と
を有することを特徴とする固体撮像装置。
【請求項２】
前記オプティカルブラック画素は、少なくとも前記開口画素の垂直方向の先頭に隣接して設けられ、
前記黒基準画素は、少なくとも前記開口画素の水平方向の先頭に隣接して設けられていることを特徴とする請求項１記載の固体撮像装置。
【請求項３】
前記開口画素及び前記オプティカルブラック画素は同じ構造を有し、前記開口画素は遮光されず、前記オプティカルブラック画素は遮光されていることを特徴とする請求項１又は２記載の固体撮像装置。
【請求項４】
請求項１〜３のいずれか１項に記載の固体撮像装置と、
前記オプティカルブラック画素の出力信号に応じて前記固体撮像装置の出力信号をクランプするクランプ手段と、
前記固体撮像装置の出力信号から前記黒基準画素の出力信号の平均値を減算する減算手段と
を有することを特徴とする撮像システム。
【請求項５】
前記クランプ手段は、
前記固体撮像装置の出力信号を増幅する増幅器と、
前記増幅器により増幅された前記オプティカルブラック画素の出力信号を平均化する平均化手段とを有し、
前記増幅器は、前記オプティカルブラック画素の出力信号の平均値を基準値としてクランプして増幅を行うことを特徴とする請求項４記載の撮像システム。
【請求項６】
さらに、前記増幅器の出力信号をアナログ形式からデジタル形式に変換するアナログデジタル変換手段と、
前記平均化手段により出力される平均値をデジタル形式からアナログ形式に変換するデジタルアナログ変換手段とを有することを特徴とする請求項５記載の撮像システム。
【請求項７】
請求項１〜３のいずれか１項に記載の固体撮像装置と、
光学像を前記固体撮像装置に結像させるためのレンズと、
前記レンズを通る光量を可変するための絞りと
を有することを特徴とするカメラ。
【請求項８】
入射光に応じて発生した電荷を蓄積して出力する開口画素と、
暗電流を蓄積可能な蓄積領域を有し、遮光されたオプティカルブラック画素と、
電荷を蓄積するための不純物領域を形成しない黒基準画素とを有する固体撮像装置の処理方法であって、
前記黒基準画素の出力信号を、前記開口画素及び前記オプティカルブラック画素の出力信号に近づく方向にシフトさせるレベルシフトステップを有することを特徴とする固体撮像装置の処理方法。
【請求項９】
入射光に応じて発生した電荷を蓄積して出力する開口画素と、
暗電流を蓄積可能な蓄積領域を有し、遮光されたオプティカルブラック画素と、
電荷を蓄積するための不純物領域を形成しない黒基準画素とを有する固体撮像装置と、
前記オプティカルブラック画素の出力信号に応じて前記固体撮像装置の出力信号をクランプするクランプ手段と、
前記固体撮像装置の出力信号から前記黒基準画素の出力信号の平均値を減算する減算手段と
を有することを特徴とする撮像システム。
【請求項１０】
前記クランプ手段は、
前記固体撮像装置の出力信号を増幅する増幅器と、
前記増幅器により増幅された前記オプティカルブラック画素の出力信号を平均化する平均化手段とを有し、
前記増幅器は、前記オプティカルブラック画素の出力信号の平均値を基準値としてクランプして増幅を行うことを特徴とする請求項９記載の撮像システム。
【請求項１１】
さらに、前記増幅器の出力信号をアナログ形式からデジタル形式に変換するアナログデジタル変換手段と、
前記平均化手段により出力される平均値をデジタル形式からアナログ形式に変換するデジタルアナログ変換手段とを有することを特徴とする請求項１０記載の撮像システム。
【請求項１２】
前記オプティカルブラック画素は、少なくとも前記開口画素の垂直方向の先頭に隣接して設けられ、
前記黒基準画素は、少なくとも前記開口画素の水平方向の先頭に隣接して設けられていることを特徴とする請求項９〜１１のいずれか１項に記載の撮像システム。
【請求項１３】
前記開口画素及び前記オプティカルブラック画素は同じ構造を有し、前記開口画素は遮光されず、前記オプティカルブラック画素は遮光されていることを特徴とする請求項９〜１２のいずれか１項に記載の撮像システム。
【請求項１４】
請求項９〜１３のいずれか１項に記載の撮像システムと、
光学像を前記撮像システムに結像させるためのレンズと、
前記レンズを通る光量を可変するための絞りと
を有することを特徴とするカメラ。
【請求項１５】
入射光に応じて発生した電荷を蓄積して出力する開口画素と、
暗電流を蓄積可能な蓄積領域を有し、遮光されたオプティカルブラック画素と、
電荷を蓄積するための不純物領域を形成しない黒基準画素とを有する固体撮像装置を用いた処理方法であって、
前記オプティカルブラック画素の出力信号に応じて前記固体撮像装置の出力信号をクランプするクランプステップと、
前記固体撮像装置の出力信号から前記黒基準画素の出力信号の平均値を減算する減算ステップと
を有することを特徴とする固体撮像装置を用いた処理方法。
【手続補正２】
【補正対象書類名】明細書
【補正対象項目名】０００９
【補正方法】変更
【補正の内容】
【０００９】
本発明の固体撮像装置は、入射光に応じて発生した電荷を蓄積して出力する開口画素と、暗電流を蓄積可能な蓄積領域を有し、遮光されたオプティカルブラック画素と、電荷を蓄積するための不純物領域を形成しない黒基準画素と、前記黒基準画素の出力信号を、前記開口画素及び前記オプティカルブラック画素の出力信号に近づく方向にシフトさせるレベルシフト手段とを有することを特徴とする。
また、本発明の固体撮像装置の処理方法は、入射光に応じて発生した電荷を蓄積して出力する開口画素と、暗電流を蓄積可能な蓄積領域を有し、遮光されたオプティカルブラック画素と、電荷を蓄積するための不純物領域を形成しない黒基準画素とを有する固体撮像装置の処理方法であって、前記黒基準画素の出力信号を、前記開口画素及び前記オプティカルブラック画素の出力信号に近づく方向にシフトさせるレベルシフトステップを有することを特徴とする。
また、本発明の撮像システムは、入射光に応じて発生した電荷を蓄積して出力する開口画素と、暗電流を蓄積可能な蓄積領域を有し、遮光されたオプティカルブラック画素と、電荷を蓄積するための不純物領域を形成しない黒基準画素とを有する固体撮像装置と、前記オプティカルブラック画素の出力信号に応じて前記固体撮像装置の出力信号をクランプするクランプ手段と、前記固体撮像装置の出力信号から前記黒基準画素の出力信号の平均値を減算する減算手段とを有することを特徴とする。
また、本発明の固体撮像装置を用いた処理方法は、入射光に応じて発生した電荷を蓄積して出力する開口画素と、暗電流を蓄積可能な蓄積領域を有し、遮光されたオプティカルブラック画素と、電荷を蓄積するための不純物領域を形成しない黒基準画素とを有する固体撮像装置を用いた処理方法であって、前記オプティカルブラック画素の出力信号に応じて前記固体撮像装置の出力信号をクランプするクランプステップと、前記固体撮像装置の出力信号から前記黒基準画素の出力信号の平均値を減算する減算ステップとを有することを特徴とする。
【手続補正３】
【補正対象書類名】明細書
【補正対象項目名】００１０
【補正方法】変更
【補正の内容】
【００１０】
暗出力のばらつきや、キズと称される特別に暗出力の大きい画素の影響を受けず、垂直方向のシェーディングのみを補正する安定したクランプが可能となり、横筋等のない高画質の画像を得ることが可能となる。また、黒基準画素の出力レベルを、オプティカルブラック画素の出力レベルと開口画素の飽和時の出力レベルとの間に設定することができるため、固体撮像装置の後段のダイナミックレンジを特に広く設定する必要がない。